(57)【要約】【課題】遠く離れても肉眼で容易に確認できるゴルフボールマーカー、及びこのゴルフボールマーカーとホルダーの組合せであるゴルフマーカーセットを提供する。【解決手段】地面に設置するための設置基板面3、及び起立可能板と対向できる対向基板面4を有する基板2と、基板2に蝶番8を介して取り付けられ、対向基板面4に対向した着座位置と、対向基板面4から離れた起立位置をとり得る起立可能板5と、ピン11を軸として起立可能板5を着座位置と起立位置に回転可能とさせる蝶番8と、ピン11をコイル部13の内部に通し、直線部14,15を基板の対向基板面上及び起立可能板5の基板側の面上に配置し、起立可能板5を起立位置に保持するように付勢するスプリング12と、スプリング12によるばね力に抗して起立可能板5を着座位置に保持する着座位置保持手段16とを備えるゴルフボールマーカー1等を提供する。【選択図】図１
2015039388.tif 000002
【特許請求の範囲】
【請求項１】
地面に設置するための設置基板面、及び起立可能板と対向できる対向基板面を有する基板と、
前記基板に蝶番を介して取り付けられ、前記対向基板面に対向した着座位置と、前記対向基板面から離れた起立位置をとり得る前記起立可能板と、
前記基板に接続された第１管状部、前記起立可能板に接続された第２管状部、及び前記第１及び第２管状部の管内を通るピンを備え、該ピンを軸として前記起立可能板を前記着座位置と前記起立位置とに回転可能とさせる前記蝶番と、
コイル部及び該コイル部の両端を該コイル部の内部中心軸に対して垂直方向に延ばした直線部を備えるスプリングであって、前記ピンを該コイル部の内部に通し、該直線部を前記基板の前記対向基板面上及び前記起立可能板の前記基板側の面上に配置し、該起立可能板を前記起立位置に保持するように付勢するスプリングと、
前記基板又は前記起立可能板に設けられ、前記スプリングによるばね力に抗して前記起立可能板を前記着座位置に保持する着座位置保持手段と
を備えるゴルフボールマーカー。
【請求項２】
前記着座位置保持手段が、前記基板の前記対向基板面又は前記起立可能板の前記基板側の面に埋設した磁石である請求項１に記載のゴルフボールマーカー。
【請求項３】
前記着座位置保持手段が、前記基板及び前記起立可能板の一方の周縁の一部に設けた１つ以上の枠片であり、前記基板及び前記起立可能板の他方の周縁の一部を前記枠片で押さえ前記着座位置に保持するものである請求項１に記載のゴルフボールマーカー。
【請求項４】
基板と、前記基板から外側に延び、地面に差し込み該地面に固定可能な突出部を備え、前記基板と前記突出部のなす角度αが１２０〜１８０度の範囲にあるゴルフボールマーカー。
【請求項５】
請求項１〜４のいずれかに記載のゴルフボールマーカーと、
請求項１〜３のいずれかに記載のゴルフボールマーカーの前記設置基板面又は請求項４に記載の前記基板の一つの面を磁気吸引により表面に保持できる磁石を内部に備える載置部を有し、該表面上で前記ゴルフボールマーカーを滑らせることにより着脱可能であるホルダーと
を備えるゴルフマーカーセット。
【請求項６】
前記ホルダーの前記載置部の表面上に保護膜をさらに備える請求項５に記載のゴルフマーカーセット。
【請求項７】
開口部を形成する側面部と底面部を有し、前記磁石を収容するための皿部材が、該磁石を前記ホルダーの載置面に露出させるように該ホルダーの内部に埋設され、前記開口部の面積が前記底面部の面積よりも小さくなるように前記側面部を傾斜させて、該皿部材が前記ホルダーから脱離することを防止する請求項５又は請求項６に記載のゴルフマーカーセット。
【請求項８】
前記ホルダーが、前記載置部とは反対側にクリップ部及び／又はフォーク部を有する請求項５〜７のいずれかに記載のゴルフマーカーセット。
【請求項９】
前記ホルダーが、前記載置部の表面の周縁部に該表面に対して突設したガイドを備える請求項５〜８のいずれかに記載のゴルフマーカーセット。
【発明の詳細な説明】
【技術分野】
【０００１】
本発明は、ゴルフ競技において使用されるゴルフボールマーカー及びゴルフボールマーカーとこれを保持するホルダーとを組み合わせたゴルフマーカーセットに関する。ゴルフボールマーカーは、単にゴルフマーカーと称されることもある。
【背景技術】
【０００２】
従来から、グリーン上でボールに代わってその位置をマークするゴルフボールマーカーとして円盤状（コイン状）のものがよく使用されている。ゴルフプレーヤーは、プレー中にこのようなボールマーカーを携帯するため、例えば、ボールマーカーを磁石を用いて磁気吸引により着脱可能に保持できるようにし、クリップ等を介してゴルフプレーヤーの衣服や帽子に取り付けて携帯することができるようにしたホルダーが提案されている（特許文献１）。また、ゴルフプレーヤーは、プレーによってグリーン上にできる芝生の凹みを補修する道具であるグリーンフォークをボールマーカーと共に携帯することが多く、このグリーンフォークの把持部の一部分を磁石で形成し、これをホルダーとして、ボールマーカーを保持でき、取り外しを容易にしたものも提案されている（特許文献２）。
【先行技術文献】
【特許文献】
【０００３】
【特許文献１】実開昭６１−９４０６２
【特許文献２】特開２００２−１０２４０３
【発明の概要】
【発明が解決しようとする課題】
【０００４】
ゴルフボールマーカーは、円盤状（コイン状）で小型であり、グリーン上に配置すると、遠く離れるにつれて肉眼で確認しにくくなる。本発明は、遠く離れても肉眼で容易に確認できるゴルフボールマーカー、及びこのゴルフボールマーカーとホルダーの組合せであるゴルフマーカーセットを提供する。
【課題を解決するための手段】
【０００５】
本発明は、グリーン上等の地面に設置するための設置基板面、及び起立可能板と対向できる対向基板面を有する基板と、前記基板に蝶番を介して取り付けられ、前記対向基板面に対向した着座位置と、前記対向基板面から離れた起立位置をとり得る前記起立可能板と、前記基板に接続された第１管状部、前記起立可能板に接続された第２管状部、及び前記第１及び第２管状部の管内を通るピンを備え、該ピンを軸として前記起立可能板を前記着座位置と前記起立位置とに回転可能とさせる前記蝶番と、コイル部及び該コイル部の両端を該コイル部の内部中心軸に対して垂直方向に延ばした直線部を備えるスプリングであって、前記ピンを該コイル部の内部に通し、該直線部を前記基板の前記対向基板面上及び前記起立可能板の前記基板側の面上に配置し、該起立可能板を前記起立位置に保持するように付勢するスプリングと、前記基板又は前記起立可能板に設けられ、前記スプリングによるばね力に抗して前記起立可能板を前記着座位置に保持する着座位置保持手段とを備えるゴルフボールマーカーを提供する。
また、本発明は、基板と、前記基板から外側に延び、地面に差し込み該地面に固定可能な突出部を備え、前記基板と前記突出部のなす角度αが１２０〜１８０度の範囲にあるゴルフボールマーカー（地面差し込み突出部付きマーカー）を提供する。
さらに、本発明は、このゴルフボールマーカーと、このゴルフボールマーカーの前記設置基板面又は地面差し込み突出部付きマーカーの前記基板の一つの面を磁気吸引により表面に保持できる磁石を内部に備える載置部を有し、該表面上で前記ゴルフボールマーカーを滑らせることにより着脱可能であるホルダーとを備えるゴルフマーカーセットを提供する。
【発明の効果】
【０００６】
本発明によれば、遠く離れても肉眼で容易に確認できるゴルフボールマーカー、及びこのゴルフボールマーカーとホルダーの組合せであるゴルフマーカーセットを提供できる。
【図面の簡単な説明】
【０００７】
【図１】着座位置保持手段として磁石を用いたゴルフボールマーカー例の起立位置における斜視図を示す。
【図２】図１の例の着座位置における側面図を示す。
【図３】スプリングの構造を示す。
【図４】着座位置保持手段として枠片を用いたゴルフボールマーカー例の着座位置における側面図を示す。
【図５】本発明の一実施形態によるゴルフマーカーセットのゴルフボールマーカーとホルダーとを示す斜視図である。
【図６】図５に示すゴルフマーカーセットのＡ−Ａ断面図である。
【図７】本発明のさらに他の実施形態によるゴルフマーカーセットのホルダーを示す斜視図である。
【図８】差し込み突出部付きマーカーの一例を示し、地面に固定したときの正面図を図８（Ａ）に示し、その断面図を図８（Ｂ）に示す。
【図９】突出部が二つである差し込み突出部付きマーカーの例を示す。
【図１０】地面差し込み突出部付きマーカーに用いるホルダーの一例を示す斜視図である。
【発明を実施するための形態】
【０００８】
ゴルフボールマーカーの基板は、グリーン上等の地面に設置するための設置基板面と、起立可能板と対向できる対向基板面を有し、前者を裏面とすれば後者は表面となる。基板は、任意の形状とすることができ、好ましくは、携帯性が良くホルダーに着脱容易な円盤状である。設置基板面は、ホルダーの載置部の表面上を滑らせて着脱可能となるように滑らかな面であることが好ましい。
ボールマーカーの起立可能板は、蝶番を介して基板に取り付けられ、対向基板面に対向した着座位置と、対向基板面から離れた起立位置をとり得る。起立可能板は、着座位置において、対向基板面の全体を覆う大きさであっても一部のみを覆う大きさであってもよく、対向基板面と接触してもしなくてもよい。スプリングによるばね力に抗して起立可能板を着座位置に保持する着座位置保持手段として磁石を用い、磁気吸引力を利用するときは、対向基板面と起立可能板の基板面側の面との吸引面積を大きくすることが好ましいため、起立可能板は、着座位置において対向基板面の全体を覆う大きさであることが好ましい。すなわち、基板は起立可能板と同じ形状であることが好ましい。また、磁気吸引力を利用するときは、通常、起立可能板の少なくとも一部は対向基板面と接触する形態となる。
ボールマーカーの起立可能板は、基板側の面とは反対側の面に装飾面を備えてもよい。装飾面は、特に限定されないが、プレーヤー間でボールマーカーの取り違えがないように識別性を持たせたり、グリーン上に置いたときにプレーヤーがボールマーカーの位置を視認しやすいように構成することができる。
【０００９】
蝶番は、丁番とも記載され、扉や箱の蓋等の開閉のために用いられ、左右の蝶板を中央の管状部分で組み合わせて管状部分にピンを通して、ピンを軸として回転させる構造を有するとして一般に知られている。本発明に用いる蝶番は、同様の構造を有するものであり、基板に接続された第１管状部、起立可能板に接続された第２管状部、及び第１及び第２管状部の管内を通るピンを備え、ピンを軸として起立可能板を着座位置と起立位置とに回転可能とする。
【００１０】
スプリングは、コイル部と、コイル部の両端をコイル部の内部中心軸に対して垂直方向に延ばした直線部とを備え、蝶番のピンをコイル部の内部に通し、直線部を基板の対向基板面上及び起立可能板の基板側の面上に配置する。２つの直線部がなす角度を「起立角度」と称すると、起立角度は、起立可能板が基板に対して垂直に起立したときは９０度、起立可能板が基板に平行に着座したときは０度となる。起立角度は、特に限定されないが、起立可能板が着座位置と起立位置を多数回往復してもばね力が劣化しにくい点や風の影響を受けにくい点において小さい方がよく、遠く離れても肉眼で確認しやすい点において９０度に近い方がよい。また、起立可能板の基板面側でない面を装飾して装飾面とする場合は、９０度を超えない方がよい。具体的には、起立角度は、好ましくは３０〜９０度、より好ましくは４５〜６０度である。
【００１１】
２つの直線部を基板の対向基板面上及び起立可能板の基板側の面上に配置するため、スプリングは、ばね力により２つの直線部のなす起立角度を維持するように付勢し、起立可能板を起立位置に保持する。したがって、起立可能板を着座位置に保持するためには、スプリングによるばね力に抗する着座位置保持手段が必要となる。着座位置保持手段は、起立可能板を着座位置に保持することができ、操作者の指等により保持を解除できてスプリングのばね力により起立位置に戻ることができるものであれば特に限定されず、公知の手段が用いられる。着座位置保持手段は、例えば基板又は起立可能板に設けることができる。
【００１２】
着座位置保持手段は、好ましくは、対向基板面又は起立可能板の基板側の面に埋設した磁石であってもよい。磁石は、磁気吸引力を遮らないように、対向基板面又は起立可能板の基板側の面に露出するように埋設することが好ましい。また、磁石は、対向基板面又は起立可能板の基板側の面の中央に露出するように埋設することがより好ましい。磁石は、露出した磁石の面が基板の対向基板面又は起立可能板の基板側の面と面一となって基板の対向基板面又は起立可能板の基板側の面の一部を構成するように埋設されることが好ましい。対向基板面又は起立可能板の基板側の面の一方に磁石を備え、他方に鉄等の磁性体を配して磁気吸引するように構成してもよいし、対向基板面又は起立可能板の基板側の面の両方に磁石を逆の極性が対向するように配して磁気吸引するように構成してもよい。
磁石は、長期にわたって起立可能板を着座位置に保持できる永久磁石が好ましく、特に限定はされないが、ネオジム磁石等の希土類磁石、アルニコ磁石、フェライト磁石等を用いることができる。磁石を対向基板面に配する場合、起立可能板の基板側の面の一部又は全部を磁性体で形成してよく、磁石を起立可能板の基板側の面に配する場合、対向基板面の一部又は全部を磁性体で形成してよい。
【００１３】
また、着座位置保持手段は、好ましくは、基板及び起立可能板の一方の周縁の一部に設けた１つ以上、好ましくは２つ以上の枠片であり、基板及び起立可能板の他方の周縁の一部を同枠片で押さえ又は挟み着座位置に保持するものである。枠片は、基板又は起立可能板と一体に成形してもよく、あるいは基板又は起立可能板に対して接着剤等を用いて取り付けてもよい。
【００１４】
ボールマーカーは、基板、起立可能板、蝶番、スプリング及び着座位置保持手段を備えるが、ボールマーカー全体の直径は、直径２５ｍｍのコインをマーカーに使用していた慣習から着座位置において１５ｍｍ〜３５ｍｍが好ましく、ボールマーカー全体の厚みは、着座位置において２〜１５ｍｍ程度が好ましい。着座位置保持手段として対向基板面又は起立可能板の基板側の面のいずれか一方に磁石を埋設した場合には、基板と起立可能板のうち埋設した磁石を有する方が厚くなり、両方に磁石を埋設した場合は同様な厚さとなる。着座位置保持手段として磁石を使用しない場合、磁石の厚さの制約がなくなるため、磁石を使用するマーカーと比べて薄くすることもできる。
【００１５】
ボールマーカーは、起立位置と着座位置のいずれでグリーン上に設置してもよい。例えば、遠く離れて肉眼で確認する必要があるときは起立位置で使用し、遠く離れて肉眼で確認する必要がないときは着座位置で設置することができる。
【００１６】
ボールマーカーの形態の一つの例を図１〜３に示す。図１は、着座位置保持手段として磁石を用いたボールマーカー例の起立位置における斜視図を示し、図２は、同例の着座位置における側面図を示す。図３は、スプリングの構造を示す。ボールマーカー１は、基板２、起立可能板５、蝶番８、スプリング１２、及び着座位置保持手段として起立可能板５の対向基板面側の面に埋設した磁石１６を備える。基板２は、グリーン上に設置するための設置基板面３と、起立可能板と対向できる対向基板面４を有する。起立可能板５は、基板２に蝶番８を介して取り付けられ、対向基板面４に対向した着座位置と、対向基板面４から離れた起立位置をとり得る。起立可能板５の基板側の面は、着座位置から磁石１６による磁気吸引を解除するために操作者の指等を差し込むための切欠き６を備え、さらに蝶番８の収納を容易にするための切欠き７を備える。この例では、起立可能板の基板側の面が切欠き６を備えるが、これに換えて又はこれとともに対向基板面の対向位置に切欠きを備えてもよい。また、この例では、起立可能板の基板側の面が切欠き７を備えるが、これに換えて又はこれとともに対向基板面の対向位置に切欠きを備えてもよい。蝶番８は、基板４に接続された第１管状部９、対向基板面５に接続された第２管状部１０、及び前記第１及び第２管状部の管内を通るピン１１を備え、ピン１１を軸として起立可能板５を対向基板面４に対向した着座位置と対向基板面４から離れた起立位置に回転可能とさせる。スプリング１２は、コイル部１３及びコイル部１３の両端を延ばした直線部１４，１５を備え（図３参照）、ピン１１をコイル部１３の内部に通し、直線部１４，１５を基板２の対向基板面４上及び起立可能板５の対向基板側の面上に配置し、起立可能板５が起立位置に保持されるように付勢する。着座位置保持手段は、基板２又は起立可能板５に設けられ、スプリング１２によるばね力に抗して起立可能板５を着座位置に保持する。
【００１７】
図４は、着座位置保持手段として磁石に換えて２つの枠片を用いたボールマーカーの他の例の着座位置における側面図を示す。枠片１７は、基板２の一部に設けた棒状突起物であり、起立可能板６の周縁の一部を保持して固定できる。図４は磁石を備えないが、図４において、図１と同様な機能を有する部材は図１と同じ符号を付した。
【００１８】
ボールマーカーは、そのまま携帯してもよいが、ホルダーと組み合わせたゴルフマーカーセットとして、クリップ等を介してゴルフプレーヤーの衣服や帽子に取り付けて携帯することができ、あるいはプレーによってグリーン上にできる芝生の凹みを補修する道具であるグリーンフォークをボールマーカーと共に携帯することができる。
ゴルフマーカーセットは、ボールマーカーと、ボールマーカーの設置基板面を磁気吸引により表面に保持できる磁石を内部に備える載置部を有し、該表面上で前記ボールマーカーを滑らせることにより着脱可能であるホルダーとを備える。
【００１９】
ホルダーは、例えば、ホルダー本体と、ホルダー本体上に設けられボールマーカーの設置基板面を保持する表面を有する載置部とを有する。該表面は、ボールマーカーを、プレーヤーの動作やプレー中の移動等で生じる衝撃によって脱落しない程度に安定して保持できるように、その少なくとも一部分が平坦な面で構成されることが好ましい。さらに該表面は、保持したボールマーカーをその表面上で滑らせて着脱可能であるように構成され、滑らかな面であることが好ましい。載置部の表面の形状は、ボールマーカーの設置基板面を保持できる任意の形状とすることができる。また、該表面の寸法は、保持時に安定性が得られ着脱が可能である任意の寸法とすることができる。
【００２０】
ホルダーは、さらに、ボールマーカーをホルダーに取り付ける時にはボールマーカーの設置基板面をホルダーの載置部の表面上に容易に収めることができるようにし、ボールマーカーを保持している間はボールマーカーを載置部の表面上からずれにくくするガイドを備えてもよい。ガイドは、ホルダーの載置部の表面の周縁部に、該表面に対して突設させることができ、好ましくは、該表面に対して略垂直に突設させることができる。周縁部に沿ったガイドの長さは、ボールマーカーの着脱が可能な任意の長さとすることができ、特に限定はされないが、好ましくは、周縁部の全周の半分以下の長さで連続又は断続する凸部として設けることができる。ガイドは、ホルダー本体と一体に成形してもよく、ホルダーの載置部と一体に成形してもよく、またホルダー本体や載置部に対して接着剤等を用いて取り付けてもよい。
【００２１】
ホルダーの材質は、耐水性、耐候性を有するものから任意に選択して用いることができ、金属であることが好ましい。金属としては、特に限定はされないが、例えば、真鍮、鉄、鋼鉄及びステンレス等が含まれる。
【００２２】
ホルダーは、好ましくは、載置部とは反対側にクリップ部及び／又はフォーク部を有する。ホルダーは、好ましくは、衣服や帽子等に挟着可能なクリップ若しくはグリーンフォーク又はその両方として構成されるが、プレー中の携帯が可能なものであってボールマーカーを着脱可能に保持できるものであれば他のものであってもよい。
【００２３】
ホルダーをクリップとして構成する場合、ホルダーは、載置部とは反対側にクリップ部を有する構成とすることが好ましい。該クリップ部は、プレーヤーの衣類や帽子等に挟着可能であって、ホルダーとこれに保持されたボールマーカーを支持可能に構成され、ボールマーカーの取り外し時にも衣類等から容易には外れないように構成されることが好ましい。クリップ部の材質は、任意の材質とすることができ、特に限定はされないが、錆びにくく適度な弾性を有するステンレスや鋼鉄が好ましい。また、クリップ部は、ホルダー本体と一体に成形してもよく、載置部と一体に成形してもよく、またホルダー本体や載置部に対して接着剤等を用いて取り付けてもよい。
【００２４】
ホルダーをグリーンフォークとして構成する場合、ホルダーは、載置部とは反対側にフォーク部を有する構成とすることが好ましく、ホルダー本体から突出するフォーク部を有する構成とすることがより好ましい。該フォーク部は、芝生の根を傷めにくいように二股又は三股のフォーク状に形成されるのが好ましい。また、グリーンフォークとして使用する際に把持しやすく、芝生の凹みを補修しやすいように、フォーク部に湾曲を設けてもよい。フォーク部の材質は、任意の材質とすることができる。また、フォーク部は、ホルダー本体と一体に成形してもよく、載置部と一体に成形してもよく、またホルダー本体や載置部に対して接着剤等を用いて取り付けてもよい。
【００２５】
ボールマーカーをホルダーに保持する磁気吸引機構は、ボールマーカー及びホルダーの一方に磁石を備え、他方に鉄などの磁性体を配して、或いは、ボールマーカー及びホルダーの両方に磁石を逆の極性が対向するように配して、互いに磁気吸引するように構成することができる。磁石がグリーン等に置かれて傷付いたり錆びたりしない点において、磁石はボールマーカーの設置基板面よりもホルダーに備えられることが好ましいため、好ましくはボールマーカーに磁性体を配してホルダーに磁石を備える。磁石の形状、数量及び配置は、ボールマーカーがホルダーに吸引して保持可能となるように任意に設定することができる。
磁性体は、ボールマーカーに配する場合、ボールマーカーの設置基板面の一部を磁性体で構成してもよいし、設置基板面を磁性体で形成してもよく、ホルダーに配する場合、ホルダーの載置部の表面の一部を磁性体で構成してもよいし、表面を磁性体で形成してもよい。
磁石は、長期にわたってボールマーカーをホルダーに保持できるような永久磁石であることが好ましく、特に限定はされないが、ネオジム磁石等の希土類磁石、アルニコ磁石、フェライト磁石等を用いることができる。また、磁性体は、より具体的には強磁性体を用いるが、例えば鉄を用いることができ、これに限定されない。
【００２６】
以下、ボールマーカーをホルダーに保持するための磁石を、ボールマーカーの基板の設置基板面ではなくホルダーに備える場合について説明する。
磁石は、好ましくは、ホルダーの載置部の内部に埋設される。磁石の吸引力を遮らないよう、磁石が載置部の表面に露出するように埋設することが好ましく、載置部表面の中央に露出するように埋設することがより好ましい。そして磁石は、露出した磁石の上面がホルダーの載置部の表面と面一となって載置部の表面の一部を構成するように埋設されることが好ましい。
【００２７】
ボールマーカーセットは、好ましくは、開口部を形成する側面部と底面部を有する、磁石を収容するための皿部材を、磁石をホルダーの載置面に露出させるようにホルダーの内部に埋没させ、開口部の面積が底面部の面積よりも小さくなるように側面部を傾斜させて、皿部材がホルダーから脱離することを防止する。磁石は、好ましくは、皿部材に収容されてホルダーの載置部の内部に配置されるため、載置部には、皿部材を収める穴が設けられる。
皿部材は、開口部を形成する側面部と底面部を有し、該側面部は底面部から立ち上がるように形成される。該側面部は、これに収容する磁石の寸法と略同寸法の開口部を形成することが好ましい。皿部材は、好ましくは、開口部の面積が底面部の面積よりも小さくなるよう側面部を傾斜させ、底面部から高さ方向に先細りになる形状に形成され、例えば、テーパー状に形成される。皿部材は任意の材質とすることができ、特に限定はされないが、磁石と磁気吸引して磁石の固定を助けて磁石を外れにくくし、ボールマーカーとホルダーとの磁気吸引機構で働く磁力を高めることができる鉄が好ましい。
一方、載置部に設けられる穴は、皿部材を内部に嵌め込むことができる形状に形成され、加工の容易性から載置部の表面からホルダー本体に達して載置部を貫通する穴として形成することが好ましい。さらに、この載置部の穴は、好ましくは皿部材の形状に追従して載置部のホルダー本体側から載置部の表面に向かって先細る形状に形成され、例えばテーパー状に形成される。
【００２８】
したがって、磁石をホルダーに備える場合、ホルダー本体上には、磁石を収容した皿部材を内部に備えた載置部が配置される。載置部は、特に限定されないが、接着剤等でホルダー本体に固定される。皿部材はホルダー本体や載置部に、磁石は皿部材に、接着剤等で固定することもできる。
【００２９】
皿部材及び載置部の穴が前記のように載置部表面に向かって先細り形状に形成される場合、ボールマーカーをホルダーから取り外すときに磁石の磁気吸引力が強くても、ホルダー本体に固定された載置部の穴の先細り形状と皿部材の先細り形状が噛み合うことにより、皿部材が、該皿部材が備えられたホルダー及び載置部から脱離することを防止することができる。
【００３０】
磁気吸引によりホルダー上に保持されているボールマーカーのホルダーから脱着時に、ボールマーカーをホルダー上で滑らせるが、ボールマーカーとホルダーとが擦れることでそれぞれの摺動面に傷が付くことがある。さらに、ボールマーカーとホルダーとを磁気吸引させるための磁石は、両者が接触するいずれか一方又は両方の摺動面に埋められているが、磁気吸引により磁石が摺動面から突出するようになり、ボールマーカーをホルダー上で滑らせると、磁石表面にも傷が付くことがある。傷が付くことで、ボールマーカー、ホルダーや磁石の地金が現れて錆びたり、ボールマーカーを滑らせるときの摩擦が大きくなって着脱時の使い勝手が悪くなったりするなど、製品寿命が短くなってしまうおそれがある。
また、ボールマーカーは通常グリーン上に置いて使用するため、グリーン上へのボールマーカーの設置面に砂や泥等の汚れが付着することがあり、ボールマーカーの着脱時などに、砂や泥等が、ボールマーカーやホルダーの摺動面上において、埋め込まれた磁石と境界に入り込む場合がある。これにより、ボールマーカーの着脱時に、砂や泥等がボールマーカーやホルダーの摺動面や磁石表面に傷を付けてしまうおそれがある。
そこで、ホルダーの載置部の表面上に、好ましくは、保護膜を設ける。
【００３１】
保護膜は、載置部の表面の少なくとも一部を覆うように設けられ、好ましくは、ボールマーカーの着脱時に接することとなる載置部の表面の全面を覆うように設けられる。ホルダーの載置部の表面に磁石上面が露出するように磁石が埋設されている場合は、該表面上に設けられる保護膜は、磁石上面をも覆うように設けられることになる。
このように保護膜を設けることによって、ボールマーカーの着脱時にもボールマーカー及びホルダーに傷が付きにくくすることができる。さらに、埋設した磁石の露出面上に保護膜を設けることで、露出面の外縁に生じる溝（隙間）に汚れが入りにくくすることができる。さらに、磁石を埋設した面の上に保護膜を設けることで、ボールマーカーの取り外し時に磁石を埋設位置から外れにくくすることができる。
【００３２】
保護膜は、ボールマーカーの着脱時にボールマーカー又はホルダーと擦っても破れにくい等の耐久性を有し、また着脱時の動作を妨げないような滑らかな材質であれば任意の材質とすることができ、特に限定されないが、好ましくはポリエチレンテレフタレート（ＰＥＴ）等のポリエステルである。
保護膜の厚みは、着脱時にボールマーカー及びホルダーが保護膜に引っかからず、磁気吸引を阻外しにくい任意の厚みに設定することができ、特に限定されないが、好ましくは０．１ｍｍである。
【００３３】
保護膜は、ボールマーカーの着脱時にもずれたり剥がれたりすることのない耐久性と、プレー環境や保存環境においても劣化の小さい耐候性や耐水性等を有する任意の方法でボールマーカー及びホルダーの少なくとも一方に取り付けることができ、特に限定されないが、接着剤等によって取り付けることができる。
【００３４】
ボールマーカーをホルダーに保持するためにボールマーカーの基板の設置基板面に磁石を設ける場合や、ボールマーカーの起立可能板を着座位置に保持するためにボールマーカーの基板の対向基板面又は起立可能板の基板側の面に磁石を設ける場合においても、上述の皿部材を使用してもよいし、上述の保護膜を使用してもよい。なお、ボールマーカーの起立可能板の着座位置と起立位置の往復は、ボールマーカーとホルダーの着脱と比べて表面の摩耗は少ないため、保護膜使用の必要性は高くない。
【００３５】
本発明の一実施形態を図５及び６を参照しながら説明する。図５は、本実施形態の一例であるゴルフマーカーセットのボールマーカーとホルダーとを示す斜視図であり、図６は、図５に示すゴルフマーカーセットのＡ−Ａ断面図である。
図５のゴルフマーカーセットは、円盤状のボールマーカー１と、ボールマーカー１の基板２の設置基板面３を磁気吸引により表面２６に保持できる、磁石３０を内部に備える載置部２７を有し、表面２６上でボールマーカー１を滑らせることにより着脱可能であるホルダー２４を備える。ホルダー２４は、ホルダー本体２５と、ホルダー本体２５上に設けられボールマーカー１の基板２の設置基板面３を磁気吸引により表面２６に保持できる載置部２７を有し、該表面２６上でボールマーカー１を滑らせることにより着脱可能に構成されている。
ボールマーカー１の基板２の設置基板面３は、平滑面であり、強磁性体で成形されている。ボールマーカー１の起立可能板５の基板面側とは反対側であるプレーヤーの目に触れる面には装飾面が設けられている。
ホルダー２４の載置部２７は、平坦な円形状の表面２６を有している。載置部２７には、表面２６の中央に開口する、載置部２７の表面２６からホルダー本体２５に達して載置部２７を貫通する穴が設けられている。該穴は、ホルダー本体側から表面２６に向かって先細るテーパー状に形成されている。表面２６の周縁部には、その全周の半分の長さに亘って連続的に突設され、ホルダー本体２５と一体に成形されたガイド２８が設けられている。載置部２７とは反対側には、衣類等にホルダー２４を挟着させるためのクリップ部３２が備えられている。
【００３６】
載置部２７の穴には、穴と略同寸同形状であり先細りテーパー状に形成された皿部材２９が嵌入され、皿部材２９には、円柱形状の磁石３０が収容されている。これにより、穴の先細り形状と皿部材２９の先細り形状が噛み合うことにより、ボールマーカーの着脱時における皿部材２９の脱離が防止できる。
さらに、ホルダーの表面２６上には、保護膜３１が取り付けられている。
【００３７】
本実施形態にかかるゴルフマーカーセットであれば、保護膜３１がホルダー２４の表面２６上に取り付けられているので、ボールマーカー１の着脱時にボールマーカー１の設置基板面３とホルダー２４の表面２６が直接接触しなくなり、ボールマーカー１を表面２６上で滑らせてもそれぞれの摺動面に傷が付きにくくなる。さらに、磁石３０を埋設したホルダー２４の表面２６上に保護膜３１が取り付けられているので、磁石３０の埋設によって表面２６に生じる磁石３０と皿部材２９と載置部２７とのそれぞれの間の溝（隙間）も保護膜３１に覆われており、溝に砂や泥等の汚れが入りにくくなる。さらに、磁石３０を埋設したホルダー２４の表面２６上に保護膜３１が取り付けられているので、ボールマーカー１の取り外し時に磁石２０が埋設位置から外れにくくなる。
【００３８】
本発明のさらに他の実施形態を図７を参照しながら説明する。図７は、本実施形態によるゴルフマーカーセットのホルダーを示す斜視図である。
図７の例では、ホルダー４４は、ホルダー本体４５と、ホルダー本体４５上に設けられ平坦な円形状の表面４６を有する載置部４７を有している。載置部４７には、表面４６の中央に開口する、載置部４７の表面４６からホルダー本体４５に達して載置部４７を貫通する穴が設けられている。該穴は、ホルダー本体側から表面４６に向かって先細るテーパー状に形成されている。表面４６の周縁部には、その全周の半分の長さに亘って連続的に突設され、載置部４７と一体の成形されたガイド４８が設けられている。ホルダー４４は、ホルダー本体４５から突出するフォーク部５３を有し、グリーンフォークとして構成されている。
【００３９】
載置部４７の穴には、穴と略同寸同形状であり先細りテーパー状に形成された皿部材４９が嵌入され、皿部材４９には、円柱形状の磁石５０が埋設されている。これにより、穴の先細り形状と皿部材４９の先細り形状が噛み合うことにより、ボールマーカーの着脱時における皿部材４９の脱離が防止できる。
さらに、ホルダーの表面４６上には、保護膜５１が取り付けられている。
【００４０】
本実施形態によれば、保護膜５１がホルダー４４の表面４６上に取り付けられているので、ボールマーカーの着脱時にボールマーカーの設置基板面とホルダー４４の表面４６が直接接触しなくなり、ボールマーカーを表面４６上で滑らせてもそれぞれの摺動面に傷が付きにくくなる。さらに、磁石５０を埋設したホルダー４４の表面４６上に保護膜５１が取り付けられているので、磁石５０の埋設によって表面４６に生じる磁石５０と皿部材４９と載置部４７とのそれぞれの間の溝（隙間）も保護膜５１に覆われており、溝に砂や泥等の汚れが入りにくくなる。さらに、磁石５０を埋設したホルダー４４の表面４６上に保護膜５１が取り付けられているので、ボールマーカーの取り外し時に磁石５０が埋設位置から外れにくくなる。
【００４１】
ゴルフボールマーカーは、地面差し込み突出部付きマーカーの態様として、基板と、基板から外側に延び、地面に差し込み該地面に固定可能な突出部を備え、基板と突出部のなす角度αを１２０〜１８０度の範囲とすることができる。角度αは、基板と突出部のなす角度であるため理論上０〜１８０度の範囲を取ることができ、突出部が基板に垂直に延びるときは９０度であり、突出部と基板が直線状のときは１８０度である。角度αは上述の起立角度に９０度を加えた角度とも言える。角度αを１２０〜１８０度とすることにより、突出部を地面に差し込んで地面に固定すると、簡単な構造でありながら、上述したゴルフボールマーカーの起立位置と同様な効果を得ることができる。
【００４２】
地面差し込み突出部付きマーカーの基板は、任意の形状とすることができ、好ましくは、携帯性が良くホルダーに着脱容易な円盤状である。基板の少なくとも一つの面は、ホルダーの載置部の表面上を滑らせて着脱可能となるように滑らかな面であることが好ましい。基板の直径は、直径２５ｍｍのコインをマーカーに使用していた慣習から１５ｍｍ〜３５ｍｍが好ましく、ボールマーカー厚みは、２〜１５ｍｍ程度が好ましい。基板に磁石を埋設した場合には、厚くなる。
【００４３】
地面差し込み突出部付きマーカーの基板と突出部のなす角度αを１８０度とすると、基板と突出部が直線状となり、突出部を地面に差し込んで地面に固定する際に、突出部と地面のなす角度を容易に９０度とすることができる。角度αは、遠く離れても肉眼で確認しやすい点において１８０度に近い方がよいが、基板の一つの面を装飾面とする場合は、装飾面を目立たせるため突出部と地面のなす角度を９０度により小さくするため、１８０度未満が好ましい。具体的には、角度αは、１２０〜１８０度であり、好ましくは１５０度以上であり、好ましくは１８０度未満である。
突出部の長さは、地面に差し込んでマーカーを地面に固定できる長さであれば特に限定されないが、扱いやすさや携帯の便宜の点から好ましくは８〜２０ｍｍである。突出部は、短くても倒れにくくするために、１つに限らずに２つ以上設けてもよく、二股状又は三股状等の複数の股状としてもよい。
【００４４】
地面差し込み突出部付きマーカーは、そのまま携帯してもよいが、上述のゴルフマーカーと同様に、ホルダーと組み合わせたゴルフマーカーセットとして、クリップ等を介してゴルフプレーヤーの衣服や帽子に取り付けて携帯することができ、グリーンフォークをボールマーカーと共に携帯することができる。
【００４５】
ボールマーカーをホルダーに保持する機構は、上述したように特に限定しないが、磁気吸引機構が好ましく、ボールマーカー及びホルダーの一方に磁石を備え、他方に鉄などの磁性体を配して、或いは、ボールマーカー及びホルダーの両方に磁石を逆の極性が対向するように配して、互いに磁気吸引するように構成することができる。磁石がグリーン等に置かれて傷付いたり錆びたりしない点において、磁石はボールマーカーの面よりもホルダーに備えられることが好ましいため、好ましくはボールマーカーに磁性体を配してホルダーに磁石を備える。磁石の形状、数量及び配置は、ボールマーカーがホルダーに吸引して保持可能となるように任意に設定することができる。具体的には、地面差し込み突出部付きマーカーのセットは、好ましくは、地面差し込み突出部付きマーカーと、該マーカーの一つの面（装飾面を設ける場合は装飾面とは反対側の面であり、一部又は全部を鉄等の磁性体で形成した面）を磁気吸引により表面に保持できる磁石を内部に備える載置部を有し、該表面上で前記マーカーを滑らせることにより着脱可能であるホルダーとを備える。すなわち、上述の設置基板面として地面差し込み突出部付きマーカーの一つの面を使用することにより、上述したホルダーを使用することができる。上述したホルダーとの違いは、地面差し込み突出部付きマーカーが突出部を有するため、ホルダーが載置部の表面の周縁部に該表面に対して突設したガイドを備える場合には、載置部に該マーカーを載置させるためにガイドに切欠き部を設ける等の工夫が必要となるかもしれない。
【００４６】
地面差し込み突出部付きマーカーをホルダーに保持するために、マーカーの基板の一つの面に磁石を設ける場合やホルダーに磁石を備える場合においても、上述の皿部材を使用してもよいし、上述の保護膜を使用してもよい。
【００４７】
差し込み突出部付きマーカーの例を図８〜９に示す。差し込み突出部付きマーカー６１を地面に固定したときの正面図を図８（Ａ）に示し、その断面図を図８（Ｂ）に示す。ボールマーカー６１は、基板６２と、基板６２から外側に延び、地面に差し込み該地面に固定可能な突出部６６を備える。基板６２は、中央に凹部６３ａを備える装飾面６３と、その反対側の面６４を有する。凹部６３ａは、ビーズ等の飾りを接着剤で貼り付けることができる。図８（Ｂ）では、装飾面を目立ちやすくするため、基板と突出部のなす角度αを１１８０度より若干小さくしている。
図９は、基板７２と、基板７２から外側に延び、地面に差し込み該地面に固定可能な二つの突出部７６、７７を備える差し込み突出部付きマーカー７１を示す。
【００４８】
図１０は、地面差し込み突出部付きマーカーに用いるホルダーの一例を示す斜視図である。図１０の例は、クリップ部９２とフォーク部９３を有するホルダー８４を示す。ホルダー８４は、地面差し込み突出部付きマーカーの一つの面（装飾面を設ける場合は装飾面とは反対側の面）を磁気吸引により表面に保持できる磁石９０を内部に備える載置部８７を有し、載置部８７の表面上で地面差し込み突出部付きマーカー８４を滑らせることにより着脱できる。ホルダー８４は、載置部８７の表面の周縁部に該表面に対して突設したガイド８８を備えており、マーカーの突出部を受け入れて、あるいは通して載置部にマーカーを載置させるためにガイド８８にガイド切欠き部８８ａを設けている。
【符号の説明】
【００４９】
１  ゴルフボールマーカー
２  基板
３  設置基板面
４  対向基板面
５  起立可能板
６，７  切欠き部
８  蝶番
９  第１管状部
１０  第２管状部
１１  ピン
１２  スプリング
１３  コイル部
１４，１５  直線部
１６  磁石
１７  枠片
２４，４４，８４  ホルダー
２５，４５  ホルダー本体
２６，４６  表面
２７，４７，８７  載置部
２８，４８、８８  ガイド
８８ａ  ガイド切欠き部
２９，４９  皿部材
３０，５０、９０  磁石
３１，５１  保護膜
３２、９２  クリップ部
５３、９３  フォーク部
６１、７１  地面差し込み突出部付きマーカー
６２、７２  基板
６３  装飾面
６３ａ  凹部
６４  装飾面と反対側の面
６６、７６、７７  突出部
【図１】
2015039388.tif 000003
【図２】
2015039388.tif 000004
【図３】
2015039388.tif 000005
【図４】
2015039388.tif 000006
【図５】
2015039388.tif 000007
【図６】
2015039388.tif 000008
【図７】
2015039388.tif 000009
【図８】
2015039388.tif 000010
【図９】
2015039388.tif 000011
【図１０】
2015039388.tif 000012